(57)【特許請求の範囲】
【請求項１】
１本の光ファイバ心線とこの光ファイバ心線を中心に挟んで配された２本の抗張力線を有する光ファイバケーブル本体と、この光ファイバケーブル本体を支持する支持線を有する支持線部とが、シースで一体化されたドロップ光ファイバケーブルにおいて、
前記光ファイバケーブル本体のシースの前記光ファイバ心線が位置する部分の両側部に引き裂き用の切り欠き部が形成され、
前記切り欠き部は、その先端をシース断面の短辺方向に延長する直線が、前記光ファイバ心線から離れた位置となるように配置されており、
前記切り欠き部の先端と、前記光ファイバ心線の中心を通り、前記光ファイバ心線と前記抗張力線とを結ぶ直線と垂直に交わる直線との間隔が０．４ｍｍ以上、前記切り欠き部の角度が６０°かつ切り欠き深さが０．４ｍｍであることを特徴とするドロップ光ファイバケーブル。
【発明の詳細な説明】
【０００１】
【発明の属する技術分野】
本発明は、一般住宅、ビルなどの加入者系への光配線に用いられるドロップ光ファイバケーブル（以下、「ドロップケーブル」と称す。）に関する。
【０００２】
【従来の技術】
この種のドロップケーブルとしては、図４に示すような構造のものが提案されている。
図４において、符号１はケーブル本体を示し、符号２はこのケーブル本体１を支持するための支持線である。
ケーブル本体１は、低密度ポリエチレンなどのポリオレフィン系熱可塑性樹脂からなる断面形状が小判形のシース３と、このシース３の中心に配置された１本の光ファイバ心線４と、この光ファイバ心線４を挟んで対称的に配置された２本の抗張力線５、５とから構成されている。
【０００３】
また、シース３の光ファイバ心線４が位置する部分の両側部には、引き裂き用のくさび状の切り欠き部６、６が形成されている。
上記光ファイバ心線４には、外径２５０μｍの単心心線が用いられ、抗張力線５には、外径０．４ｍｍの鋼線が用いられている。
さらに、シース３の長径は４．５ｍｍ、短径は２．０ｍｍとなっている。
【０００４】
支持線２は、外径１．２ｍｍの亜鉛めっき鋼線７にポリオレフィン系などの熱可塑性樹脂からなる被覆層８を被覆してなるものである。また、この支持線２はその被覆層８とケーブル本体１のシース３とが細幅のブリッジ９によって結合され、ケーブル本体１と一体化されている。
ブリッジ９は、ポリオレフィン系などの熱可塑性樹脂からなるものであって、シース３、被覆層８ともども一体に押出被覆されてなるものである。
【０００５】
ところで、このようなドロップケーブル１０を屋外敷設した後、断線した事例が報告されている。
断線の原因としては、蝉などによる被害が報告されている。断線したドロップケーブル１０には、光ファイバ心線４が位置する部分の両側部にある切り欠き部６、６に、蝉が排卵管を挿入したために空いたと思われる穴があることが確認された。この穴の部分で、光ファイバ心線４が断線していることが確認された。
【０００６】
また、くさび状の切り欠き部６の先端と光ファイバ心線４との間のシース３の厚みが、０．２〜０．３ｍｍ程度と非常に薄くなっている。したがって、虫などによりシース３に外部から力が加えられると、光ファイバ心線４が断線することがある。
【０００７】
【発明が解決しようとする課題】
よって、本発明における課題は、虫などからの被害により、ドロップケーブル内の光ファイバ心線が断線することがない、ドロップケーブルの構造を提案することにある。
【０００８】
【課題を解決するための手段】
かかる課題を解決するため、本発明のドロップ光ファイバケーブルは、１本の光ファイバ心線とこの光ファイバ心線を中心に挟んで配された２本の抗張力線を有する光ファイバケーブル本体と、この光ファイバケーブル本体を支持する支持線を有する支持線部とが、シースで一体化されたドロップ光ファイバケーブルにおいて、
前記光ファイバケーブル本体のシースの前記光ファイバ心線が位置する部分の両側部に引き裂き用の切り欠き部が形成され、
前記切り欠き部は、その先端をシース断面の短辺方向に延長する直線が、前記光ファイバ心線から離れた位置となるように配置されており、
前記切り欠き部の先端と、前記光ファイバ心線の中心を通り、前記光ファイバ心線と前記抗張力線とを結ぶ直線と垂直に交わる直線との間隔が０．４ｍｍ以上、前記切り欠き部の角度が６０°かつ切り欠き深さが０．４ｍｍであることを特徴とするドロップ光ファイバケーブル。
【０００９】
【発明の実施の形態】
以下、図１を用いて本発明のドロップケーブルの一例を詳しく説明する。
なお、先に説明した従来のドロップケーブルと同一構成部分については、同一符号を付して説明を省略する。
本例のドロップケーブル２０は、シース３の光ファイバ心線４が位置する部分の両側部には、引き裂き用のくさび状の切り欠き部１１、１１が形成されている。
この切り欠き部１１、１１は、切り欠き部１１、１１の先端が、光ファイバ心線４と抗張力線５、５とを結ぶ直線Ａと、光ファイバ心線４の中心を通りこの直線Ａと垂直に交わる直線Ｂから離れた位置に、かつ、光ファイバ心線４を挟んで点対称に配置されている。
【００１０】
切り欠き部１１の先端と、直線Ｂとの間隔ａ、ａは、０．４ｍｍ以上であることが好ましく、特に好ましくは０．５〜０．６ｍｍとなっている。
上記間隔ａが０．４ｍｍ未満では、例えば、蝉の排卵管の太さが約０．４ｍｍであるため、切り欠き部１１に蝉の排卵管が突き刺さると、光ファイバ心線４に排卵管が達し、光ファイバ心線４が断線することがあるため好ましくない。
また、上記間隔ａが０．４ｍｍ以上であるから、切り欠き部１１の先端は、直線Ｂ上に存在しないため、外部からの力により、切り欠き部１１が直線Ａと垂直方向に裂けても、光ファイバ素線４が露出しないため、光ファイバ素線４が断線することがない。
【００１１】
また、切り欠き部１１を切り欠く角度ｂは、６０°程度が好ましく、切り欠き部１１を切り欠く深さは、０．４ｍｍ程度が好ましい。切り欠き部１１をこの角度および深さで切り欠くことにより、光ファイバ心線４を口出しする際に、シース３を容易に引き裂くことが可能となる。
【００１２】
図２は、本発明のドロップケーブルの変形例を示すものである。
ドロップケーブル３０は、図１に示したドロップケーブル２０のケーブル本体１を４条、やや太径の亜鉛めっき鋼線に被覆層が形成された支持線２の周囲に撚り合わせて集合したもので、複数条のケーブル本体１、１、…が支持線２に直線一体化していない点で、図１のものとは若干異なる形態をとっている。このように、本発明のドロップケーブルは、ケーブル本体１が複数条のものであってもよい。
【００１３】
図３に、本例のドロップケーブル２０の光ファイバ心線４の口出し方法の概略を示す。
先ず、ケーブル本体１に設けられている切り欠き部１１、１１に、ニッパなどの工具を用いて、図３（ａ）に示した直線Ｃ方向に、斜めに切り込みを入れる。
【００１４】
次いで、切り欠き部１１、１１の切り込みを入れた部分を指で摘んで、手で十分に握れる位の長さになるまでシース３を左右に２つに引き裂く。
次いで、手で左右のシース３を握って、必要な長さになるまで引き裂き、図３（ｃ）に示すように光ファイバ心線４を露出させる。
【００１５】
上記のように、切り欠き部１１、１１に、ニッパなどを用いて、図３（ａ）に示した直線Ｃ方向に、斜めに切り込みを入れるずに、切り欠き部１１、１１を利用して、シース３を引き裂くと、切り欠き部１１が図１に示した直線Ａと垂直方向に裂けるため、光ファイバ素線４が露出しない。したがって、本例のドロップケーブル２０の光ファイバ心線４の口出し方法では、光ファイバ素線４が不慮に露出したり、断線したりすることがない。
【００１６】
本例のドロップケーブル２０、３０は、支持線２を用いて電柱間に架設されて使用される。そして、ケーブル本体１を加入者宅に配線する場合には、先ず、ブリッジ９を切断してケーブル本体１を支持線２から切り離す。ついで、そのケーブル本体１の先端部において、シース３をその切り欠き部１１、１１を利用して２つに引き裂き、光ファイバ心線４を取り出す。ついで、引き裂いたシース３を先端から約１５ｍｍ程度引き抜き、２本の抗張力線５、５を露出させて、これらを成端キャビネットの引留部に固定することにより、加入者宅への光配線が終了する。
【００１７】
【発明の効果】
以上説明したように、本発明にあっては、虫などの被害により、光ファイバ心線が断線することがなくなり、切り欠き部が裂けても、光ファイバ心線が不慮に露出することがないため、断線することがない。
【図面の簡単な説明】
【図１】  本発明のドロップ光ファイバケーブルの一例を示す断面図である。
【図２】  本発明のドロップ光ファイバケーブルの他の例を示す断面図である。
【図３】  本発明のドロップ光ファイバケーブルの口出し方法を示す概略図である。
【図４】  従来のドロップ光ファイバケーブルを示す断面図である。
【符号の説明】
１…ケーブル本体、２…支持線、３…シース、４…光ファイバ心線、５…抗張力線、７…鋼線、８…被覆層、９…ブリッジ、１１…切り欠き部、２０…ドロップケーブル、３０…ドロップケーブル
【図１】
0003717799.tif 000002
【図２】
0003717799.tif 000003
【図３】
0003717799.tif 000004
【図４】
0003717799.tif 000005